(57)【要約】【課題】携帯端末自体の方位の変化と、ユーザ自身の方位の変化とに対応して画面表示を制御することにより、ユーザの利便性を向上できる携帯端末を提供する。【解決手段】携帯端末２０では、端末方位検出部２０１によって検出された端末方位と、ユーザ方位受信部２０２が受信したユーザ方位との差分に基づいて表示部２０５に表示する画面方位を制御する。これにより、携帯端末２０自体の方位の変化とユーザＵ自身の方位の変化との双方に対応して画面方位が制御され、ユーザＵに対して画面を常に正対させることが可能となる。したがって、ユーザＵの利便性を向上できる。【選択図】図４
2014182464.tif 000002
【特許請求の範囲】
【請求項１】
表示部に表示する画面を制御する表示制御手段を備えた携帯端末であって、
前記携帯端末の水平面上での方位を検出する第１の方位検出手段と、
ユーザ側の装着物に設けられて水平面上での当該ユーザの方位を検出する第２の方位検出手段から検出結果を受信するユーザ方位受信手段と、を備え、
前記表示制御手段は、前記第１の方位検出手段によって検出された前記携帯端末の方位と、前記ユーザ方位受信手段が受信した前記ユーザの方位との差分に基づいて前記表示部に表示する画面方位を制御することを特徴とする携帯端末。
【請求項２】
前記表示制御手段は、前記携帯端末の方位と前記ユーザの方位との差分量に対して、前記表示部に表示する画面方位を段階的に変化させることを特徴とする請求項１記載の携帯端末。
【請求項３】
前記ユーザ側の装着物に設けられた赤外線送信手段から赤外線に重畳して前記装着物を識別する識別情報を受信する識別情報受信手段を更に備えたことを特徴とする請求項１又は２記載の携帯端末。
【請求項４】
前記識別情報受信手段が複数の識別情報を受信したときに、方位の基準となる基準ユーザの投票を受け付ける投票受付手段を更に備え、
前記表示制御手段は、前記携帯端末の方位と前記基準ユーザの方位との差分に基づいて前記表示部に表示する画面方位を制御することを特徴とする請求項３記載の携帯端末。
【発明の詳細な説明】
【技術分野】
【０００１】
本発明は、携帯端末に関する。
【背景技術】
【０００２】
ユーザが手で把持可能な程度の大きさの携帯端末は様々な姿勢で使用されることが考えられる。従来の携帯端末では、ユーザがディスプレイに対して正対していると仮定して画面表示がなされている。このため、例えば携帯端末がテーブル等の水平面に載置されている場合に、ユーザがテーブル上で携帯端末の方位を動かしたり、ユーザがテーブルを回り込んだりしてユーザ自身の方位が変化したりすると、ユーザと画面とが正対しなくなる。
【０００３】
一方、近年では、地磁気センサ等を利用して画面表示を制御する技術がある。例えば特許文献１に記載の表示装置では、装置の正面方位と進行方位とをそれぞれ検出する検出手段と、いずれの方位を基準として地図をディスプレイに表示させるかを選択する選択手段を備え、選択された方位と地図の基準方位との差分だけ地図を回転させてディスプレイに表示する表示装置が開示されている。
【先行技術文献】
【特許文献】
【０００４】
【特許文献１】特開２００７−１０８３２６号公報
【発明の概要】
【発明が解決しようとする課題】
【０００５】
しかしながら、上述した従来の表示装置における制御手法では、装置の方位が変化したときに画面を追従させることは可能であるが、ユーザの方位の変化に対して画面を追従させることができない。したがって、携帯端末自体の方位の変化と、ユーザ自身の方位の変化とに対応して画面表示を制御できる技術が望まれている。
【０００６】
本発明は、上記課題の解決のためになされたものであり、携帯端末自体の方位の変化と、ユーザ自身の方位の変化とに対応して画面表示を制御することにより、ユーザの利便性を向上できる携帯端末を提供することを目的とする。
【課題を解決するための手段】
【０００７】
上記課題の解決のため、本発明に係る携帯端末は、表示部に表示する画面を制御する表示制御手段を備えた携帯端末であって、携帯端末の水平面上での方位を検出する第１の方位検出手段と、ユーザ側の装着物に設けられて水平面上での当該ユーザの方位を検出する第２の方位検出手段から検出結果を受信するユーザ方位受信手段と、を備え、表示制御手段は、第１の方位検出手段によって検出された携帯端末の方位と、ユーザ方位受信手段が受信したユーザの方位との差分に基づいて表示部に表示する画面方位を制御することを特徴としている。
【０００８】
この携帯端末では、第１の方位検出手段によって検出された携帯端末の方位と、ユーザ方位受信手段が受信したユーザの方位との差分に基づいて表示部に表示する画面方位を制御する。これにより、携帯端末自体の方位の変化とユーザ自身の方位の変化との双方に対応して画面方位が制御され、ユーザに対して画面を常に正対させることが可能となる。したがって、ユーザの利便性を向上できる。
【０００９】
また、表示制御手段は、携帯端末の方位とユーザの方位との差分量に対して、表示部に表示する画面方位を段階的に変化させることが好ましい。この場合、方位が過剰に制御されることによる画面の揺れ・ちらつきを抑制できる。
【００１０】
また、ユーザ側の装着物に設けられた赤外線送信手段から赤外線に重畳して装着物を識別する識別情報を受信する識別情報受信手段を更に備えたことが好ましい。赤外線を用いることで、ユーザが実際に携帯端末を視認しているか否かを携帯端末側で把握することが可能となる。また、識別情報の受信により、複数ユーザによる携帯端末の利用が可能となる。
【００１１】
また、識別情報受信手段が複数の識別情報を受信したときに、方位の基準となる基準ユーザの投票を受け付ける投票受付手段を更に備え、表示制御手段は、携帯端末の方位と基準ユーザの方位との差分に基づいて表示部に表示する画面方位を制御することが好ましい。この場合、複数ユーザ間での画面方位の制御を好適に実施できる。
【発明の効果】
【００１２】
本発明に係る携帯端末によれば、携帯端末自体の方位の変化と、ユーザ自身の方位の変化とに対応して画面表示を制御することにより、ユーザの利便性を向上できる携帯端末を提供することを目的とする。
【図面の簡単な説明】
【００１３】
【図１】本発明に係る携帯端末の一実施形態を含んで構成される端末システムを示す図である。
【図２】図１に示した端末システムの利用場面を示す図である。
【図３】ユーザの装着物の機能的な構成要素を示すブロック図である。
【図４】携帯端末の機能的な構成要素を示すブロック図である。
【図５】制御前の画面方位を示す図である。
【図６】端末方位及びユーザ方位に対する画面方位を示す図である。
【図７】端末方位とユーザ方位との差分値と画面方位の制御値との関係を示す図である。
【図８】複数のユーザが存在する場合の画面方位の制御方法を示す図である。
【図９】図４に示した携帯端末の動作を示すフローチャートである。
【発明を実施するための形態】
【００１４】
以下、図面を参照しながら、本発明に係る携帯端末の好適な実施形態について詳細に説明する。
【００１５】
図１は、本発明に係る携帯端末の一実施形態を含んで構成される端末システムを示す図である。同図に示すように、端末システム１は、ユーザが装着する装着物１０と、携帯端末２０とによって構成されている。装着物１０は、ユーザの頭部に装着可能な装着物であり、例えばイヤホン、メガネ、ヘッドセット等が挙げられる。また、携帯端末２０は、物理的には、ＣＰＵ（中央処理装置）、メモリ、通信インターフェイス、ハードディスク、タッチパネル式ディスプレイなどを備えたタブレット型端末である。携帯端末２０は、例えばユーザが片手で持つことが可能な程度の大きさの薄板状となっており、筐体の正面側にタッチパネル型の表示部や操作ボタンなどが設けられている。
【００１６】
この端末システム１は、例えば図２に示すように、ミーティング等の場面で用いられる。図２に示す例では、装着物１０（１０ａ〜１０ｄ）を装着した複数（ここでは４人）のユーザＵ（Ｕａ〜Ｕｄ）がテーブルＴ上に載置された携帯端末２０の周囲に集まり、携帯端末２０の表示部２０５に表示される画面を見ながらミーティングを行っている。携帯端末２０は、携帯端末２０自体の方位（端末方位）と、ユーザＵの頭部（目線）の方位（ユーザ方位）とに基づいて、表示部２０５に表示される画面の方位（画面方位）を調整する機能を有し、ユーザＵの利便性の向上が図られている。以下、当該機能について詳細に説明する。
【００１７】
図３は、ユーザの装着物の機能的な構成要素を示すブロック図である。同図に示すように、装着物１０は、機能的な構成要素として、ユーザ方位検出部１０１と、ユーザ方位送信部１０２と、識別情報格納部１０３とを有している。
【００１８】
ユーザ方位検出部１０１は、水平面上でのユーザＵの頭部の方位を検出する部分であり、例えば地磁気センサによって構成されている。ユーザ方位検出部１０１は、基準方位（例えば北）に対するユーザＵの頭部の方位を検出し、検出結果をユーザ方位送信部１０２に出力する。なお、本実施形態では、基準方位の角度を０°とし、基準方位から時計回りに０°〜３６０°として表す。
【００１９】
ユーザ方位送信部１０２は、ユーザ方位の検出結果を携帯端末２０側に送信する部分である。検出結果の送信には、例えば赤外線通信が用いられる。ユーザ方位送信部１０２は、検出結果の送信の際、識別情報格納部１０３を参照し、装着物１０を識別する識別情報の読み出しを行う。そして、ユーザ方位送信部１０２は、ユーザ方位の検出結果と識別情報とを関連付け、赤外線に重畳して携帯端末２０側に情報を常時或いは所定の間隔で送信する。
【００２０】
また、図４は、携帯端末の機能的な構成要素を示すブロック図である。同図に示すように、携帯端末２０は、機能的な構成要素として、端末方位検出部２０１と、ユーザ方位受信部２０２と、投票受付部２０３と、表示制御部２０４とを有している。
【００２１】
端末方位検出部２０１は、水平面上での携帯端末２０の方位を検出する部分であり、ユーザ方位検出部１０１と同様に、例えば地磁気センサによって構成されている。端末方位検出部２０１は、基準方位に対する携帯端末２０の方位を検出し、検出結果を表示制御部２０４に出力する。ユーザ方位検出部１０１及び端末方位検出部２０１は、ジャイロセンサであってもよい。この場合、予め基準方位のキャリブレーションを行っておくことで地磁気センサと同様の方位の検出が可能となる。
【００２２】
ユーザ方位受信部２０２は、装着物１０側からユーザ方位の検出結果と識別情報とを受信する部分である。ユーザ方位受信部２０２は、受信した情報を投票受付部２０３に出力する。なお、装着物１０から送信される赤外線は、直線性を有している。このため、ユーザ方位受信部２０２は、ユーザＵの頭部が携帯端末２０に向いている場合に限って装着物１０からの情報の受信が可能となっており、ユーザＵの頭部の向きが携帯端末２０から外れている場合には装着物１０からの情報を受信しない。
【００２３】
投票受付部２０３は、方位の基準となる基準ユーザの投票を受け付ける部分である。本実施形態では、投票受付部２０３は、ユーザ方位受信部２０２が複数の識別情報を受け取ったときに、各識別情報に関連付けられたユーザ方位を参照する。投票受付部２０３では、投票先として、例えば基準方位に対する角度の範囲が複数設定されている。この角度の範囲は、後述する表示制御部２０４による画面方位の段階的な制御の範囲と一致しており、例えば範囲Ａ（３１５°〜４５°）、範囲Ｂ（４５°〜１３５°）、範囲Ｃ（１３５°〜２２５°）、範囲Ｄ（２２５°〜３１５°）の４つの角度範囲が設定されている（図７参照）。
【００２４】
そして、投票受付部２０３は、受け取った複数のユーザ方位が範囲Ａ〜Ｄのいずれに属するかを判断し、最多数のユーザＵが属する範囲のユーザＵを基準ユーザと決定する。投票受付部２０３は、基準ユーザ及びそのユーザ方位を示す情報を表示制御部２０４に出力する。なお、投票受付部２０３は、ユーザ方位受信部２０２が一つの識別情報のみを受け取った場合には、そのユーザＵをそのまま基準ユーザと決定する。また、最多数のユーザＵが属する範囲が複数存在する場合には、例えば最先のユーザＵ（最も長く携帯端末２０にユーザ方位を送信している装着物１０を装着しているユーザＵ）が属する範囲のユーザＵを基準ユーザと決定する。
【００２５】
表示制御部２０４は、表示部２０５に表示する画面を制御する部分である。表示制御部２０４は、端末方位検出部２０１から端末方位の検出結果を受け取り、投票受付部２０３から基準ユーザ及びそのユーザ方位を示す情報を受け取ると、端末方位とユーザ方位との差分に基づいて表示部２０５に表示する画面方位の制御を行う。図５に示すように、端末方位Ｄ２が基準方位Ｄ１からα°だけ時計回りにずれている場合、画面方位の制御前の表示部２０５では、画面は端末方位Ｄ２を基準として表示される。
【００２６】
一方、図６に示すように、ユーザ方位Ｄ３が基準方位Ｄ１からβ°だけ反時計回りにずれている場合、画面方位の制御後の表示部２０５では、端末方位Ｄ２とユーザ方位Ｄ３との差分に基づいて画面方位がγ°（｜α°−β°｜）だけ反時計回りに補正され、画面はユーザ方位Ｄ３を基準として表示される。
【００２７】
また、画面方位の制御にあたって、表示制御部２０４は、端末方位とユーザ方位との差分量に対して、表示部２０５に表示する画面方位を段階的に変化させる。刻みの範囲は任意で構わないが、図７に示す例では、表示制御部２０４は、補正前の差分値に対して９０°刻みで４段階の制御値を有している。表示制御部２０４は、差分値が範囲Ａ（３１５°〜４５°）である場合には、制御値を０°とし、差分値が範囲Ｂ（４５°〜１３５°）である場合には、制御値を９０°とする。また、表示制御部２０４は、差分値が範囲Ｃ（１３５°〜２２５°）である場合には、制御値を１８０°とし、差分値が範囲Ｄ（２２５°〜３１５°）である場合には、制御値を２７０°とする。
【００２８】
図８は、複数のユーザが存在する場合の画面方位の制御方法を示す図である。同図の例では、４人のユーザＵａ〜Ｕｄが想定されており、ユーザＵａ，Ｕｂのユーザ方位が範囲Ｂに属し、ユーザＵｃのユーザ方位が範囲Ｃに属し、ユーザＵｄのユーザ方位が範囲Ｄに属している。この場合、投票受付部２０３は、範囲Ｂに属するユーザＵａ，Ｕｂを基準ユーザと決定し、差分値に基づいて制御値を９０°として画面方位を制御する。
【００２９】
続いて、上述した携帯端末２０の動作について説明する。
【００３０】
図９は、携帯端末の動作を示すフローチャートである。同図に示すように、携帯端末２０では、まず、装着物１０からの識別情報及びユーザ方位の取得がなされる（ステップＳ０１）。次に、取得したユーザ方位に基づいて基準ユーザの決定がなされる（ステップＳ０２）。基準ユーザの決定の後、端末方位の取得がなされ（ステップＳ０３）、ユーザ方位と端末方位との差分に基づいて画面方位が決定される（ステップＳ０４）。そして、ステップＳ０４で決定された画面方位に基づいて表示部２０５に表示される画面の制御が実行される（ステップＳ０５）。
【００３１】
以上説明したように、携帯端末２０では、端末方位検出部２０１によって検出された端末方位と、ユーザ方位受信部２０２が受信したユーザ方位との差分に基づいて表示部２０５に表示する画面方位を制御する。これにより、携帯端末２０自体の方位の変化とユーザＵ自身の方位の変化との双方に対応して画面方位が制御され、ユーザＵに対して画面を常に正対させることが可能となる。したがって、ユーザＵの利便性を向上できる。
【００３２】
また、携帯端末２０では、端末方位とユーザ方位との差分量に対して、表示部２０５に表示する画面方位を段階的に変化させる。これにより、方位が過剰に制御されることによる画面の揺れ・ちらつきを抑制できる。
【００３３】
さらに、携帯端末２０では、ユーザＵ側の装着物１０に設けられた赤外線に重畳して識別情報を受信している。直線性の高い赤外線を用いることで、ユーザＵが実際に携帯端末２０を視認しているか否かを携帯端末２０側で把握することが可能となる。また、識別情報の受信により、複数のユーザＵによる携帯端末２０の利用が可能となる。
【００３４】
複数のユーザＵが携帯端末２０を利用する場合、携帯端末２０は、方位の基準となる基準ユーザの投票を受け付け、端末方位と基準ユーザのユーザ方位との差分に基づいて表示部２０５に表示する画面方位を制御する。これにより、図２で示したような利用場面等において、複数のユーザＵ間での画面方位の制御を好適に実施できる。
【００３５】
本発明は、上記実施形態に限られるものではない。例えば上述した実施形態では、装着物１０から携帯端末２０への通信を赤外線通信によって実行しているが、装着物１０から携帯端末２０への通信には、ＢｌｕｅｔｏｏｔｈやＷｉ−Ｆｉといった各種の無線通信を用いてもよい。また、上述した実施形態では、端末方位とユーザ方位との差分量に対して、表示部２０５に表示する画面方位を段階的に変化させているが、画面方位を段階的に変化させる制御は必ずしも実施する必要はなく、端末方位とユーザ方位との差分量をそのまま制御値としてもよい。
【００３６】
さらに、上述した実施形態では、複数の識別情報を受信した場合に、各ユーザＵのユーザ方位を取得し、最多数のユーザＵが属する範囲のユーザＵを基準ユーザと決定しているが、基準ユーザの投票はこの方法に限られない。例えば携帯端末２０に基準ユーザの選択操作を受け付ける受付手段を設け、ユーザＵが任意に基準ユーザを選択できるようにしてもよい。
【符号の説明】
【００３７】
１０…装着物、１０１…ユーザ方位検出部（第２の方位検出手段）、１０２…ユーザ方位送信部（赤外線送信手段）、２０…携帯端末、２０１…端末方位検出部（第１の方位検出手段）、２０２…ユーザ方位受信部（ユーザ方位受信手段、識別情報受信手段）、２０３…投票受付部（投票受付手段）、２０４…表示制御部（表示制御手段）、２０５…表示部。
【図１】
2014182464.tif 000003
【図２】
2014182464.tif 000004
【図３】
2014182464.tif 000005
【図４】
2014182464.tif 000006
【図５】
2014182464.tif 000007
【図６】
2014182464.tif 000008
【図７】
2014182464.tif 000009
【図８】
2014182464.tif 000010
【図９】
2014182464.tif 000011